(57)【要約】【課題】  膝に負担をかけることなく、背筋を伸ばして安定して座禅をすることが出来る座椅子の提供。【解決手段】  腰掛ける為の座板部はＶ型をした前座板２と後座板３を有し、前座板２と後座板３の交差角度を１１０°〜１３０°とし、凹部空間６に尻を入れて座禅することが出来る。【選択図】    図１
0003176181.tif 000002
【実用新案登録請求の範囲】
【請求項１】
座禅をする時に使用する座椅子であって、腰掛ける為の座板部はＶ型をした前座板と後座板を有し、前座板と後座板の交差角度を１１０°〜１３０°としたことを特徴とする座椅子。
【請求項２】
上記前座板と後座板間には最大で１００ｍｍの空間を設けた請求項１記載の座椅子。
【請求項３】
Ｖ型をした上記前座板と後座板の両側には脚板を取着し、前座板と後座板の下端を床面に接触又は近接した請求項１、又は請求項２記載の座椅子。
【考案の詳細な説明】
【技術分野】
【０００１】
本考案は長時間にわたって背筋を伸ばして安定して座ることが出来、特に瞑想する際に適した座椅子に関するものである。
【背景技術】
【０００２】
座椅子の基本形態は、座板部とこの後部から起立した背凭れ部とからなり、座板部が床面又は畳面に直接載置される場合と、座板部に短い脚を備えた構造とする場合がある。図５は従来の一般的な座椅子を表しているが、（ａ）は座板部（イ）に脚（ハ）、（ハ）を備えたタイプ、（ｂ）は座板部（イ）に脚を備えていないタイプの座椅子である。両タイプの座椅子には背凭れ部（ロ）を起立しているが、背凭れ部（ロ）を持たない座椅子も存在している。
【０００３】
座椅子の用途は様々であるが、座板部と背凭れから成って脚を持たない座椅子は一般的に居間でくつろぐ場合に、座板部と背凭れから成って脚を備えた座椅子は正座が出来ない人、又は長時間にわたって正座することが苦痛な人が使用している。
【０００４】
特開２００２−１０８５４号に係る「座椅子及び座椅子用クッション」は、
座板部上での滑りやフロア上での滑りを有効的に防止でき、常に安息姿勢で着座し続けることが可能である座椅子である。
座椅子は、央部に丸形の肉抜き穴を有する座板部と、この座板部の後部に一体的に起立した背凭れ部とを備えた成形合板（曲げ合板）製の座椅本体と、座板部の肉抜き穴に嵌合する木製の丸形状の雄形板を下面に具える座椅子用クッションとから成る。下面の雄形板を座板部の肉抜き穴に嵌め合わすことにより、クッションの座板部上での滑りを確実に防止することができる。
【０００５】
実用新案登録第３０９０１８７号に係る「正座椅子」は、正座の時に、脚や膝にかかる重圧を軽減するために尻の下に入れて使用する目的で製作した正座椅子である。そこで、正座椅子は、布団の下に木製の板と蝶番を組み合せて本体と脚を一体とし、脚の折畳みを簡単にしている。
【０００６】
ただし、従来の座椅子は居間でくつろぐ場合、又は正座をして座る際の助けとする場合に使用されるが、座禅する場合には適していない。近年、心の病を患う若者が禅寺で座禅をする人が多いが、一般人は正しく座って座禅することは出来ない。普通、円形の座布団を尻に敷いて座禅するが、軟らかい座布団では尻が安定せず、背筋を伸ばして座ることが出来ない。
【特許文献１】特開２００２−１０８５４号に係る「座椅子及び座椅子用クッション」
【特許文献２】実用新案登録第３０９０１８７号に係る「正座椅子」
【考案の開示】
【考案が解決しようとする課題】
【０００７】
このように、従来から色々な形態の座椅子が知られている。しかし、瞑想を目的として正しく座禅することが出来る座椅子は存在しない。本考案が解決しようとする課題はこの問題点であり、腰や膝に負担をかけることなく背筋を伸ばして正しく座禅することが出来る座椅子を提供する。
【課題を解決するための手段】
【０００８】
本考案に係る座椅子は基本的には木製とし、背凭れは備えることなく座板部のみで構成している。しかも、座板部は中央を窪ましたＶ形とし、前座板と後座板を有している。そして、前座板と後座板の交差角度は１２０°±１０°とし、前座板と後座板を支える脚部材を有している。脚部材は前座板と後座板の両側端に取付ける場合、又は前座板と後座板の下側に取付けることも出来る。
【０００９】
ここで、脚部材は前座板と後座板が上記交差角度を保って所定の高さに支持する為のものであり、具体的な構造は限定しないことにする。本考案の座椅子は座禅を目的とするものであり、その為に低くて成っており、前座板と後座板の交差部が床面に接触又は近接する高さとしている。
【考案の効果】
【００１０】
本発明の座椅子の座板部は前座板と後座板はＶ型を成していることで、該座椅子に座るならば、尻は前座板と後座板で形成される凹部空間に嵌る為に位置ズレすることなく安定する。そこで、尻部の大殿筋は前座板と後座板に接し、大腿二頭筋は前座板に当たる。従って、膝にかかる負担は軽減され、背筋は伸びて長時間にわたって座禅する助けとすることが出来、瞑想に浸ることが出来る。
【００１１】
尻を凹部空間に嵌めて両膝を横に開き、足首を組むように座るならば、大殿筋と大腿二頭筋が前座板と後座板に接し、特に太股の大腿二頭筋はＶ型を成す前座板に大きく接することになる。その為に、膝が支えられて安定したあぐら姿勢となる。これが、座禅をするときの姿勢であるが、本考案の座椅子に座って座禅することで脚に無理をかけることなく瞑想の体勢を長時間にわたって保つことが出来る。
【図面の簡単な説明】
【００１２】
【図１】本考案に係る座椅子を示す実施例。
【図２】前座板と後座板を支える脚板。
【図３】本考案の座椅子に腰掛けて座禅する姿勢。
【図４】本考案に係る座椅子を示す他の実施例。
【図５】従来の座椅子。
【考案を実施するための形態】
【００１３】
図１は本考案に係る座椅子１を示す実施例で、（ａ）は平面図、（ｂ）側面図、（ｃ）は正面図をそれぞれ表わしている。同図に示す座椅子１は、前座板２と後座板３、及び両脚板４，４で構成している。上記前座板２と後座板３は中央部を低くなるように傾斜し、その為に前座板２と後座板３はＶ型としている。すなわち、Ｖ型に傾斜するように前座板２と後座板３の両端は脚板４，４に固定されている。
【００１４】
ところで、前座板２の表面５と後座板３の表面５の交差角Θは１１０°〜１３０°の範囲に設定される。そして、傾斜した前座板２及び後座板３の中央側先端は床面に接したり、又は近接した状態となるように脚板４，４に取着される。すなわち、脚板４は角を丸めた長方形をなし、この脚板４、４に上記前座板２と後座板３がＶ型を成して取付けられている。
【００１５】
図２は脚板４を示す具体例であり、（ａ）は内表面を、（ｂ）は（ａ）のＡ−Ａ断面拡大図を表している。長方形の脚板４は内表面にはＶ型をした嵌合溝７，７が設けられ、この嵌合溝７，７に前座板２と後座板３の側端が嵌ることが出来る。前座板２と後座板３は両脚板４，４に設けた嵌合溝７，７に嵌って支持され、そして、該嵌合溝７，７から外れないように脚板４，４の外表面から前座板２の端面及び後座板３の端面にネジ８，８・・・を螺合して固定している。
また、前座板２及び後座板３の側端が嵌る嵌合溝７，７を設けることなく、脚板４の内表面にＬ型金具を固定し、このＬ型金具の側端部を載せて支持する構造とすることも出来る。
【００１６】
本考案の座椅子は座板部がＶ型を成している為に、従来のような平坦な座板部を有す座椅子とはその用途は違っており、座禅をする際に使用される。この座椅子は座禅を組む助けとなり、この座板部に腰掛けることで背筋が伸び、しかも膝に負担をかけることなく長時間にわたって座ることが出来る。
【００１７】
図３は本考案の座椅子を使って座っている場合を示している。同図に示すように尻部は前座板２と後座板３にて形成される凹部空間６に嵌り、その為に着座位置が変化することなく安定する。そして、尻部が凹部空間６に嵌ることで背筋が伸び、膝に負担がかからないように座ることが出来る。
【００１８】
すなわち、両膝を横に開き、足首を組むように座るならば、大殿筋と大腿二頭筋が前座板２と後座板３に接し、特に太股の大腿二頭筋はＶ型を成す前座板２に大きく接することになる。その為に、膝が支えられて安定したあぐら姿勢となる。座禅をするときの姿勢となり、本考案の座椅子に座ることで脚に無理をかけることなく瞑想の座禅体勢を長時間にわたって保つことが出来る。
【００１９】
図４は本考案に係る他の実施例を表している。基本的な形態は前記図１に示す座椅子と共通し、前座板２と後座板３を有し、前座板２と後座板３の交差角度は１１０°〜１３０°としている。しかも、この実施例の座椅子では前座板２と後座板３との間に空間９を設けている。この空間９の幅寸法Ｍは最大で１００ｍｍとする。このように前座板２と後座板３との間に空間９を設けることで、全体の幅寸法Ｌを拡大することなく尻の大きな人も座ることが出来る。
【００２０】
そして、前記実施例では、脚板４の内表面にＶ型の嵌合溝７を形成し、この嵌合溝７に前座板２と後座板３の側端部を嵌めた構造としているが、該嵌合溝７を設けることなく脚板４の外表面から螺合したネジを介して固定することも可能である。例えば、引張り及び捩れに対して高い強度を備えたコーススレッドネジを使用することが出来る。
【００２１】
コーススレッドネジは建築用に急速に普及したネジであって、従来の木ネジに比較するとネジのピッチは粗く、先端がナイフ状に削り取った形態としている。従って、前座板２と後座板３はこのコーススレッドネジを介して脚板４に強固に固定される。
【符号の説明】
【００２２】
１   座椅子
２   前座板
３   後座板
４   脚板
５   表面
６   凹部空間
７   嵌合溝
８   ネジ
【図１】
0003176181.tif 000003
【図２】
0003176181.tif 000004
【図３】
0003176181.tif 000005
【図４】
0003176181.tif 000006
【図５】
0003176181.tif 000007